【手続補正書】
【提出日】平成25年4月15日(2013.4.15)
【手続補正１】
【補正対象書類名】特許請求の範囲
【補正対象項目名】全文
【補正方法】変更
【補正の内容】
【特許請求の範囲】
【請求項１】
立体映像コンテンツ再生手段により、立体映像コンテンツを再生して、視差を有する第１の対の映像を生成するステップと、
前記立体映像コンテンツ再生手段により、前記第１の対の映像を変形させる第１の遠近感調整を行って、第２の対の映像を生じさせるステップと、
前記第２の対の映像を、表示画面を有する立体映像表示手段に入力するステップと、
前記立体映像表示手段により、前記第２の対の映像を変形させる第２の遠近感調整を行って、第３の対の映像を生じさせるステップと、
前記表示画面により、前記第３の対の映像を、左右各眼用の映像として表示させるステップとを有し、
前記第２の遠近感調整が前記第１の遠近感調整と連動して行われ、
前記第１の遠近感調整は、前記第１の対の映像の双方に対する水平変倍及び前記第１の対の映像の少なくとも一方に対する水平シフトにより、結果として得られる前記第２の対の映像の一方の左端が前記表示画面の左端に整列し、前記第２の対の映像の他方の右端が前記表示画面の右端に整列するように、前記第１の対の映像を変形し、
前記第２の遠近感調整は、前記第２の対の映像の双方に対する水平変倍及び前記第２の対の映像の少なくとも一方に対する水平シフトにより、結果として得られる前記第３の対の映像の一方の左端が前記表示画面の左端に整列し、前記第３の対の映像の他方の右端が前記表示画面の右端に整列するように、前記第１の対の映像を変形する
ことを特徴とする映像表示制御方法。
【請求項２】
前記第１の遠近感調整を制御するための第１の設定情報を、前記立体映像コンテンツ再生手段に記憶させるステップと、
前記第２の遠近感調整を制御するための第２の設定情報を、前記立体映像表示手段に記憶させるステップと、
前記第１の設定情報及び前記第２の設定情報の少なくとも一方を、前記立体映像コンテンツ再生手段と前記立体映像表示手段の間で通信するステップと
をさらに有することを特徴とする請求項１に記載の映像表示制御方法。
【請求項３】
前記第１の遠近感調整及び前記第２の遠近感調整の少なくとも一方は、前記第１の設定情報及び前記第２の設定情報を用いて行なわれることを特徴とする請求項２に記載の映像表示制御方法。
【請求項４】
前記第１の設定情報及び前記第２の設定情報の各々として、前記水平方向に変倍するときの変倍率、又は前記水平方向にシフトして表示するときのシフト幅に関する情報を用いるようにした請求項２又は３記載の映像表示制御方法。
【請求項５】
立体映像コンテンツを再生することで得られた左右各眼用の視差のある一対の映像を入力し、
左右各眼にそれぞれ異なる前記視差のある映像を見せるよう表示画面に表示する映像再生表示方法に適用する映像表示制御方法であって、
前記一対の映像の双方を水平方向に変倍し、
前記一対の映像の少なくとも一方を水平方向にシフトして、
結果として得られる映像の一方の左端を前記表示画面の左端に整列させ、前記結果として得られる映像の他方の右端を前記表示画面の右端に整列させ、
前記結果として得られる映像を表示する
ことを特徴とする映像表示制御方法。
【請求項６】
第１の遠近感調整手段を有する立体映像コンテンツ再生手段と、
第２の遠近感調整手段を有する立体映像表示手段とを有し、
前記立体映像コンテンツ再生手段は、
立体映像コンテンツを再生して、視差を有する第１の対の映像を生成するものであり、
前記第１の遠近感調整手段は、前記第１の対の映像を変形する第１の遠近感調整を行って第２の対の映像を生成し、
前記立体映像表示手段は、前記第２の対の映像を入力とし、
前記第２の遠近感調整手段は、前記第２の対の映像を変形する第２の遠近感調整を行って第３の対の映像を生成し、
前記第２の遠近感調整手段は、前記第１の遠近感調整手段と連動し、
前記立体映像表示手段は、前記第３の対の映像を表示画面により左右各眼に表示し、
前記第１の遠近感調整は、前記第１の対の映像の双方に対する水平変倍及び前記第１の対の映像の少なくとも一方に対する水平シフトにより、前記第２の対の映像の一方の左端が表示画面の左端に整列し、前記第２の対の映像の他方の右端が前記表示画面の右端に整列するように、前記第１の対の映像を変形させ、
前記第２の遠近感調整は、前記第２の対の映像の双方に対する水平変倍及び前記第２の対の映像の少なくとも一方に対する水平シフトにより、前記第３の対の映像の一方の左端が表示画面の左端に整列し、前記第３の対の映像の他方の右端が前記表示画面の右端に整列するように、前記第２の対の映像を変形させる
ことを特徴とする映像表示制御装置。
【請求項７】
前記第１の遠近感調整手段及び前記第２の遠近感調整手段の各々は、
前記遠近感調整を制御するための設定情報を保持する保持手段と、
前記設定情報を送信し、又は受信するための通信手段と
を有することを特徴とする請求項６に記載の映像表示制御装置。
【請求項８】
前記第１及び第２の遠近感調整手段が、両者の前記通信手段によって前記設定情報を相互間で伝達することを特徴とする請求項７に記載の映像表示制御装置。
【請求項９】
前記設定情報が、前記水平方向に変倍するときの変倍率、又は前記水平方向にシフトして表示するときのシフト幅に関する情報を含むことを特徴とする請求項７又は８に記載の映像表示制御装置。
【請求項１０】
放送映像再生装置をさらに有し、
前記立体映像表示手段は、前記放送映像再生装置で再生された第１のコンテンツと、前記立体映像コンテンツ再生手段で再生された第２のコンテンツを入力とし、前記第１及び第２のコンテンツの一方を選択し、選択されたコンテンツに対して前記第２の遠近感調整手段により前記第２の遠近感調整を行って、表示し、
前記第２の遠近感調整手段は、前記第１のコンテンツの立体映像を表示するときに視聴者にとって最適となるよう調整され、
前記第１の遠近感調整手段は、前記第１のコンテンツに対する最適の遠近感調整と、前記第２のコンテンツに対する最適の遠近感調整の差を補償するように調整される
ことを特徴とする請求項６に記載の映像表示制御装置。
【請求項１１】
前記第１及び第２の遠近感調整手段の一方における前記遠近感調整のための設定の変更が、前記第１及び第２の遠近感調整手段の他方における前記遠近感調整のための設定の変更を打ち消すように行われる
ことを特徴とする請求項１０に記載の映像表示制御装置。
【請求項１２】
前記第１及び第２の遠近感調整手段の少なくとも一方が、前記第１及び第２の遠近感調整の制御のための設定値を表す情報を前記第１及び第２の遠近感調整手段の他方に送信する
ことを特徴とする請求項１０に記載の映像表示制御装置。
【請求項１３】
立体映像コンテンツを再生する立体映像コンテンツ再生手段から、左右各眼用の視差のある一対の映像が、表示画面を有する立体映像表示手段に入力し、前記立体映像表示手段の前記表示画面に、左右各眼にそれぞれ異なる前記視差のある映像を見せるように表示するシステムで用いられる映像表示制御装置において、
前記一対の映像の双方を水平方向に変倍するスケーラと、
前記一対の映像の少なくとも一方を水平方向にシフトするシフタとを有し、
前記変倍及びシフトにより、
前記一対の映像の一方の左端を前記表示画面の左端に整列させ、
前記一対の映像の他方の右端を前記表示画面の右端に整列させる
ことを特徴とする映像表示制御装置。
【手続補正２】
【補正対象書類名】明細書
【補正対象項目名】０００９
【補正方法】変更
【補正の内容】
【０００９】
前記の課題を解決するため、本発明の映像表示制御方法は、
立体映像コンテンツ再生手段により、立体映像コンテンツを再生して、視差を有する第１の対の映像を生成するステップと、
前記立体映像コンテンツ再生手段により、前記第１の対の映像を変形させる第１の遠近感調整を行って、第２の対の映像を生じさせるステップと、
前記第２の対の映像を、表示画面を有する立体映像表示手段に入力するステップと、
前記立体映像表示手段により、前記第２の対の映像を変形させる第２の遠近感調整を行って、第３の対の映像を生じさせるステップと、
前記表示画面により、前記第３の対の映像を、左右各眼用の映像として表示させるステップとを有し、
前記第２の遠近感調整が前記第１の遠近感調整と連動して行われ、
前記第１の遠近感調整は、前記第１の対の映像の双方に対する水平変倍及び前記第１の対の映像の少なくとも一方に対する水平シフトにより、結果として得られる前記第２の対の映像の一方の左端が前記表示画面の左端に整列し、前記第２の対の映像の他方の右端が前記表示画面の右端に整列するように、前記第１の対の映像を変形し、
前記第２の遠近感調整は、前記第２の対の映像の双方に対する水平変倍及び前記第２の対の映像の少なくとも一方に対する水平シフトにより、結果として得られる前記第３の対の映像の一方の左端が前記表示画面の左端に整列し、前記第３の対の映像の他方の右端が前記表示画面の右端に整列するように、前記第１の対の映像を変形する
ことを特徴とする。
【手続補正３】
【補正対象書類名】明細書
【補正対象項目名】００１０
【補正方法】削除
【補正の内容】